(57)【要約】【課題】複数のプーリの相互の位置関係を、手数と時間を掛けずに、容易かつ迅速に調整できるポンプ装置を提供する。【解決手段】  アイドラプーリ５２を支持するホルダ６０から所定丈の第１位置決めアーム６２をポンプ１２方向に延設する。そして、その所定丈の第１位置決めアーム６２の端面を、ポンプ１２の位置決め用の基準面に当たるネジ取り付け用の座面８２に当接させるだけで、ポンプ１２の回転軸の所定部位に嵌着された従動プーリ１６周囲のベルト巻き掛け溝１６２と、ホルダ６０に支持されたアイドラプーリ５２周囲のベルト巻き掛け溝５２２とが、ほぼ同一平面上に位置するように、そのホルダ６０に支持されたアイドラプーリ５２と、ポンプ１２の回転軸に嵌着された従動プーリ１６との相互位置関係を調整できるようにする。【選択図】図２
2005069091.tif 000002
【特許請求の範囲】
【請求項１】
ポンプの回転軸と電動モータの駆動軸とが、複数のプーリと無端ベルトとを介して、互いに連結されたポンプ装置において、
前記複数のプーリのうちの所定のプーリを支持するホルダから延設された所定丈の位置決めアームの端面が、前記ポンプ又は電動モータの位置決め用の基準面に当接されて、前記ポンプの回転軸の所定部位に嵌着された従動プーリ周囲のベルト巻き掛け溝、又は電動モータの駆動軸の所定部位に嵌着された駆動プーリ周囲のベルト巻き掛け溝と、前記ホルダに支持された所定のプーリ周囲のベルト巻き掛け溝とが、ほぼ同一平面上に位置するように調整されたことを特徴とするポンプ装置。
【請求項２】
前記ポンプの回転軸に嵌着された従動プーリと電動モータの駆動軸に嵌着された駆動プーリとが、無端ベルトを介して互いに連結されて、その無端ベルトの巡回経路中途部に無端ベルトのテンション調整用のアイドラプーリが装備され、
前記従動プーリがポンプの回転軸の所定部位に嵌着されると共に、前記アイドラプーリを支持するホルダからポンプ方向に延設された所定丈の第１位置決めアームの端面が、前記ポンプの位置決め用の基準面に当接されて、前記ポンプの回転軸に嵌着された従動プーリ周囲のベルト巻き掛け溝とアイドラプーリ周囲のベルト巻き掛け溝とがほぼ同一平面上に位置するように調整されたことを特徴とする請求項１記載のポンプ装置。
【請求項３】
前記ポンプの回転軸に嵌着された従動プーリと電動モータの駆動軸に嵌着された駆動プーリとが、無端ベルトを介して互いに連結されて、その無端ベルトの巡回経路中途部に無端ベルトのテンション調整用のアイドラプーリが装備され、
前記駆動プーリが電動モータの駆動軸の所定部位に嵌着されると共に、前記アイドラプーリを支持するホルダから電動モータ方向に延設された所定丈の第２位置決めアームの端面が、前記電動モータの位置決め用の基準面に当接されて、前記電動モータの駆動軸に嵌着された駆動プーリ周囲のベルト巻き掛け溝とアイドラプーリ周囲のベルト巻き掛け溝とがほぼ同一平面上に位置するように調整されたことを特徴とする請求項１又は２記載のポンプ装置。
【発明の詳細な説明】
【技術分野】
【０００１】
本発明は、排気ポンプ、吸気ポンプ等のポンプを、電動モータにより、複数のプーリと無端ベルトとを介して、回転駆動させる構造のポンプ装置に関する。
【背景技術】
【０００２】
上記ポンプ装置は、排気ポンプ、吸気ポンプ等のポンプの回転軸に嵌着された従動プーリと電動モータの駆動軸に嵌着された駆動プーリとが、Ｖベルト等の無端ベルトを介して互いに連結された構造をしている。そして、電動モータの駆動軸の回転力が、電動モータの駆動軸に嵌着された駆動プーリと、ポンプの回転軸に嵌着された従動プーリと、それらのプーリに亙って巻き掛けられた無端ベルトとを介して、ポンプの回転軸に伝えられる構造をしている。
無端ベルトの巡回経路中途部には、無端ベルトのテンションを調整するための、アイドラプーリが装備されている。そして、そのアイドラプーリの位置を無端ベルトに対して前後等に調整することにより、上記駆動プーリと従動プーリとに亙って巻き掛けられた無端ベルトの緊張度を大小に調整できる構造をしている。
【０００３】
このポンプ装置の組み立てに際しては、そのポンプの回転軸に嵌着された従動プーリ周囲のベルト巻き掛け溝と、電動モータの駆動軸に嵌着された駆動プーリ周囲のベルト巻き掛け溝とが、ほぼ同一平面上に位置するように、その従動プーリと駆動プーリとの相互の位置関係を、調整する作業が必要となる。
同様に、そのアイドラプーリ周囲のベルト巻き掛け溝と、上記従動プーリ及び駆動プーリ周囲のベルト巻き掛け溝とが、ほぼ同一平面上に位置するように、それらのアイドラプーリと従動プーリと駆動プーリとの相互の位置関係を、調整する作業が必要となる。
その理由は、アイドラプーリ周囲のベルト巻き掛け溝と、従動プーリ周囲のベルト巻き掛け溝と、駆動プーリ周囲のベルト巻き掛け溝とのそれぞれが、ほぼ同一平面上に位置していないと、それらのプーリ周囲のベルト巻き掛け溝に亙って巻き掛けられたＶベルト等の無端ベルトが、それらのプーリ周囲を巡回中に、それらのプーリ周囲のベルト巻き掛け溝から脱落して、それらのプーリ周囲から外れてしまうからである。あるいは、無端ベルトが、それらのプーリ周囲を巡回中に、それらのプーリ周囲のベルト巻き掛け溝の内側壁から強く押される等して、その無端ベルトに、偏った無理な力が加わるからである。そして、その無端ベルトが、早期に磨耗したり、破断したりしてしまうからである。
【０００４】
そのために、上記の従動プーリと駆動プーリとアイドラプーリとの相互の位置決め作業には、細心の注意が払われている。
この位置決め作業は、従来は、例えば次のようにして、行われている。
ポンプの脚部に、切削加工等の機械加工により、基準面を形成して、その基準面に、ベースのポンプ取り付け面に突設された、ピンやボルトを当接させている。そして、ポンプを、ベースの所定部位に位置決め固定している。そして、ポンプの駆動軸の所定部位に嵌着された従動プーリ周囲のベルト巻き掛け溝と、ベースに支持されたアイドラプーリ周囲のベルト巻き掛け溝とが、ほぼ同一平面上に位置するように、それらの従動プーリとアイドラプーリとの相互の位置関係を定めている。
また、上記のようにして、ベースの所定部位に位置決め固定されたポンプの回転軸に嵌着された従動プーリの平滑な外側端面部分と、電動モータの駆動軸に嵌着された駆動プーリの平滑な外側端面部分とを基準面に用いて、それらの従動プーリと駆動プーリとの基準面に亙って、平板状等をした位置決め治具を、隙間なく押し当てている。そして、それらの従動プーリ周囲のベルト巻き掛け溝と、駆動プーリ周囲のベルト巻き掛け溝とが、ほぼ同一平面上に位置するように、それらの従動プーリと駆動プーリとの相互の位置関係を定めている。それと共に、その駆動プーリが嵌着された駆動軸を持つ電動モータを、上記の位置決め治具を用いて、ベースの所定部位に位置決め固定している。
【特許文献１】特開２０００−２７９５８号公報
【特許文献２】特開平１０−２８８１５９号公報
【発明の開示】
【発明が解決しようとする課題】
【０００５】
しかしながら、上記のようにして、従動プーリと駆動プーリとアイドラプーリとの相互の位置関係を調整した場合には、従動プーリが嵌着された回転軸を持つポンプの脚部に、切削加工等の機械加工により、基準面を形成したり、その基準面に当接させるピンやボルトを、ベースのポンプ取り付け面に突設したりしなければならず、多大な手数と時間を要した。
また、従動プーリと駆動プーリとの相互の位置関係を決めるための、平板状等をした位置決め治具を、ポンプ装置組み立て用の部品の外に、別途必要とした。
【０００６】
本発明は、このような課題を解消可能な、ポンプの回転軸と電動モータの駆動軸とが、複数のプーリと無端ベルトとを介して、互いに連結されたポンプ装置の複数のプーリの相互の位置関係を、手数と時間を掛けずに、容易かつ迅速に適正に調整できる、ポンプ装置組み立て用の部品の外に、位置決め治具を別途必要としない、ポンプ装置を提供することを目的としている。
【課題を解決するための手段】
【０００７】
このような目的を達成するために、本発明のポンプ装置は、
ポンプの回転軸と電動モータの駆動軸とが、複数のプーリと無端ベルトとを介して、互いに連結されたポンプ装置において、
前記複数のプーリのうちの所定のプーリを支持するホルダから延設された所定丈の位置決めアームの端面が、前記ポンプ又は電動モータの位置決め用の基準面に当接されて、前記ポンプの回転軸の所定部位に嵌着された従動プーリ周囲のベルト巻き掛け溝、又は電動モータの駆動軸の所定部位に嵌着された駆動プーリ周囲のベルト巻き掛け溝と、前記ホルダに支持された所定のプーリ周囲のベルト巻き掛け溝とが、ほぼ同一平面上に位置するように調整されたことを特徴としている。
【０００８】
本発明のポンプ装置においては、ポンプの回転軸に嵌着された従動プーリと電動モータの駆動軸に嵌着された駆動プーリとが、無端ベルトを介して互いに連結されて、その無端ベルトの巡回経路中途部に無端ベルトのテンション調整用のアイドラプーリが装備され、
前記従動プーリがポンプの回転軸の所定部位に嵌着されると共に、前記アイドラプーリを支持するホルダからポンプ方向に延設された所定丈の第１位置決めアームの端面が、前記ポンプの位置決め用の基準面に当接されて、前記ポンプの回転軸に嵌着された従動プーリ周囲のベルト巻き掛け溝とアイドラプーリ周囲のベルト巻き掛け溝とがほぼ同一平面上に位置するように調整された構造とすることを好適としている。
【０００９】
また、本発明のポンプ装置においては、ポンプの回転軸に嵌着された従動プーリと電動モータの駆動軸に嵌着された駆動プーリとが、無端ベルトを介して互いに連結されて、その無端ベルトの巡回経路中途部に無端ベルトのテンション調整用のアイドラプーリが装備され、
前記駆動プーリが電動モータの駆動軸の所定部位に嵌着されると共に、前記アイドラプーリを支持するホルダから電動モータ方向に延設された所定丈の第２位置決めアームの端面が、前記電動モータの位置決め用の基準面に当接されて、前記電動モータの駆動軸に嵌着された駆動プーリ周囲のベルト巻き掛け溝とアイドラプーリ周囲のベルト巻き掛け溝とがほぼ同一平面上に位置するように調整された構造とすることを好適としている。
【発明の効果】
【００１０】
このような構成のポンプ装置によれば、
所定のプーリを支持するホルダから延設された所定丈の位置決めアームの端面を、ポンプ又は電動モータの位置決め用の基準面に当接させるだけで、ポンプの回転軸の所定部位に嵌着された従動プーリ周囲のベルト巻き掛け溝、又は電動モータの駆動軸の所定部位に嵌着された駆動プーリ周囲のベルト巻き掛け溝と、ホルダに支持された所定のプーリ周囲のベルト巻き掛け溝とが、ほぼ同一平面上に位置するように、そのホルダに支持された所定のプーリと、ポンプの回転軸に嵌着された従動プーリ、又は電動モータの駆動軸に嵌着された駆動プーリとの相互位置関係を調整できる。
即ち、アイドラプーリを支持するホルダからポンプ方向に所定丈の第１位置決めアームが延設されたポンプ装置にあっては、その第１位置決めアームの端面からホルダに支持されたアイドラプーリ周囲のベルト巻き掛け溝を含む平面までの距離Ｈ１と、ポンプの位置決め用の基準面からポンプの回転軸の所定部位に嵌着された従動プーリ周囲のベルト巻き掛け溝を含む平面までの距離Ｈ２とがほぼ同一になるように、即ち、ほぼＨ１＝Ｈ２となるように、ホルダからポンプ方向に所定丈の第１位置決めアームを延設しておくことにより、そのホルダから延設された所定丈の第１位置決めアームの端面を、ポンプの位置決め用の基準面に当接させるだけで、そのホルダに支持されたアイドラプーリ周囲のベルト巻き掛け溝と、ポンプの回転軸の所定部位に嵌着された従動プーリ周囲のベルト巻き掛け溝とを、第１位置決めアームの端面からほぼ同じ上記距離Ｈ１，Ｈ２だけ離れた、ほぼ同一平面上に位置させることができる。
同様に、アイドラプーリを支持するホルダから所定丈の第２位置決めアームが電動モータ方向に延設されたポンプ装置にあっては、その第２位置決めアームの端面からホルダに支持されたアイドラプーリ周囲のベルト巻き掛け溝を含む平面までの距離Ｈ３と、電動モータの位置決め用の基準面から電動モータの駆動軸の所定部位に嵌着された駆動プーリ周囲のベルト巻き掛け溝を含む平面までの距離Ｈ４とがほぼ同一になるように、即ち、ほぼＨ３＝Ｈ４となるように、ホルダから電動モータ方向に所定丈の第２位置決めアームを延設しておくことにより、そのホルダから延設された第２位置決めアームの端面を、電動モータの位置決め用の基準面に当接させるだけで、そのホルダに支持されたアイドラプーリ周囲のベルト巻き掛け溝と、電動モータの駆動軸の所定部位に嵌着された駆動プーリ周囲のベルト巻き掛け溝とを、第２位置決めアームの端面からほぼ同じ上記距離Ｈ３，Ｈ４だけ離れた、ほぼ同一平面上に位置させることができる。
そして、それらのアイドラプーリや従動プーリや駆動プーリ等の複数のプーリ周囲のベルト巻き掛け溝に亙って巻き掛けられた無端ベルトが、その巡回中に、それらのプーリ周囲のベルト巻き掛け溝から脱落したり、それらのプーリ周囲のベルト巻き掛け溝の内側壁に無理に押される等して、早期に磨耗したり、破損したりするのを、確実に防ぐことが可能となる。
また、上記第１位置決めアームや第２位置決めアーム等の位置決めアームは、プーリを支持するホルダを板金曲げ加工等により形成する際に、そのホルダの一部に同時に板金曲げ加工等により手数を掛けずに容易に延設できる。
また、上記ポンプの位置決め用の基準面には、ポンプのサイドプレート外側面の平滑に形成されたボルト取り付け用の座面を用いることができる。同様に、上記電動モータの位置決め用の基準面には、電動モータのエンドプレート外側面の平滑に形成されたボルト取り付け用の座面を用いることができる。そして、それらの基準面を、ポンプや電動モータに多大な手数を掛けて別途形成する工程を省くことができる。
さらに、従動プーリは、その従動プーリの外側端面をポンプの回転軸端面などとほぼ同一平面上に位置させて、ポンプの回転軸に嵌着することにより、その従動プーリをポンプの回転軸の所定部位に手数を掛けずに容易に嵌着できる。同様に、駆動プーリも、その駆動プーリの外側端面を電動モータの駆動軸端面などとほぼ同一平面上に位置させて、電動モータの駆動軸に嵌着することにより、その駆動プーリを電動モータの駆動軸の所定部位に手数を掛けずに容易に嵌着できる。
その結果、本発明のポンプ装置によれば、該装置の組み立て作業の大幅な容易化、迅速化が図れる。それと共に、そのポンプ装置の組み立て作業に際して、ポンプ装置組み立て用の部品の外に、位置決め治具を別途設ける必要をなくすことが可能となる。
【発明を実施するための最良の形態】
【００１１】
次に、本発明の実施の形態を図面に従い説明する。
図１ないし図３は本発明のポンプ装置の好適な実施の形態を示し、図１はその正面図、図２はその一部左側面図、図３はその一部右側面図である。以下に、このポンプ装置を説明する。
【００１２】
図のポンプ装置では、排気用のポンプ１２と、吸気用のポンプ１４とが、枠板状をしたベース２０上面の左側と右側とにそれぞれ並べて搭載されている。
ポンプ１２、１４下方のベース２０内側底面には、電動モータ３０が搭載されている。
ポンプ１２、１４の回転軸には、従動プーリ１６、１８が、キー等を介して、嵌着されている。電動モータ３０の駆動軸には、駆動プーリ３２、３４が、同じくキー等を介して、前後に一体に連ねて嵌着されている。
ポンプ１２の回転軸に嵌着された従動プーリ１６周囲に２列に並ぶベルト巻き掛け溝１６２と、電動モータ３０の駆動軸に嵌着された前部の駆動プーリ３２周囲に２列に並ぶベルト巻き掛け溝３２２とに亙っては、図２に示したように、２本のＶベルト等の無端ベルト４２がそれぞれループ状に２列に並べて巻き掛けられている。
さらに、上記従動プーリ１６周囲のベルト巻き掛け溝１６２と、駆動プーリ３２周囲のベルト巻き掛け溝３２２とに亙って巻き掛けられた無端ベルト４２の巡回経路中途部内側には、無端ベルト４２のテンション調整用の第１のアイドラプーリ５２が装備されている。第１のアイドラプーリ５２周囲に２列に並ぶベルト巻き掛け溝５２２のそれぞれには、上記２本の無端ベルト４２中途部のそれぞれが巻き掛けられている。
同様に、ポンプ１４の回転軸に嵌着された従動プーリ１８周囲のベルト巻き掛け溝１８２と、電動モータ３０の駆動軸に嵌着された後部の駆動プーリ３４周囲のベルト巻き掛け溝３４２とに亙っては、図３に示したように、１本のＶベルト等の無端ベルト４４がループ状に巻き掛けられている。
さらに、上記従動プーリ１８周囲のベルト巻き掛け溝１８２と、駆動プーリ３４周囲のベルト巻き掛け溝３４２とに亙って巻き掛けられた無端ベルト４４の巡回経路中途部内側には、無端ベルト４４のテンション調整用の第２のアイドラプーリ５４が装備されている。第２のアイドラプーリ５４周囲のベルト巻き掛け溝５４２には、上記１本の無端ベルト４４中途部が巻き掛けられている。
第１、第２のアイドラプーリ５２、５４は、ベース２０側面にボルト等を用いて起立させて固定された板状をしたホルダ６０表面の左側と右側とに、その取り付け位置を移動調整可能なスライダ６１、６３をそれぞれ介して、ホルダ６０表面とほぼ平行な面内で回転可能に支持されている。そして、それらのホルダ６０表面にスライダ６１、６３を介してそれぞれ支持された第１、第２のアイドラプーリ５２、５４を、無端ベルト４２、４４に対してそれぞれ前後等に移動調整して、無端ベルト４２、４４のそれぞれの緊張度を強弱に調整できる構造をしている。
そして、電動モータ３０の駆動軸を回転させることにより、その電動モータ３０の駆動軸の回転力を、駆動プーリ３２、３４、無端ベルト４２、４４及び従動プーリ１６、１８を介して、ベース２０上面に搭載された２台のポンプ１２、１４の回転軸のそれぞれに的確に伝えて、それらのポンプ１２、１４のそれぞれを回転駆動させることができる構造をしている。
【００１３】
以上の構成は、従来汎用のポンプ装置と同様であるが、図のポンプ装置では、第１、第２のアイドラプーリ５２、５４のそれぞれを支持するホルダ６０上端の左側と右側とに、第１位置決めアーム６２、６４が、ポンプ１２、１４方向にそれぞれ延設されている。第１位置決めアーム６２、６４は、ホルダ６０上端の左側と右側とに板金加工によりそれぞれ設けられた帯板先端が、ポンプ１２、１４方向にＬ字状に折り曲げられて形成されている。第１位置決めアーム６２、６４の端面は、ホルダ６０表面に支持されたアイドラプーリ５２、５４周囲のベルト巻き掛け溝５２２、５４２を含む平面とほぼ平行になるように、形成されている。左側のポンプ１２方向に延設された左側の第１位置決めアーム６２の丈は、その第１位置決めアーム６２の端面から、ホルダ６０表面の左側に支持されたアイドラプーリ５２周囲のベルト巻き掛け溝５２２を含む平面までの距離が、所定値のＨ１ａになるように、所定長さに形成されている。右側のポンプ１４方向に延設された右側の第１位置決めアーム６４の丈は、その第１位置決めアーム６４の端面から、ホルダ６０表面の右側に支持されたアイドラプーリ５４周囲のベルト巻き掛け溝５４２を含む平面までの距離が、所定値のＨ１ｂになるように、所定長さに形成されている。
左側と右側のポンプ１２、１４のサイドプレート外側面のネジ取り付け用の平滑な座面８２、８４であって、ポンプ１２、１４の回転軸に嵌着された従動プーリ１６、１８周囲のベルト巻き掛け溝１６２、１８２を含む平面とほぼ平行に形成された座面８２、８４は、ポンプ１２、１４の位置決め用の基準面にそれぞれ用いられている。そして、図２と図３に示したように、それらのサイドプレートのネジ取り付け用の座面８２、８４から、従動プーリ１６、１８周囲のベルト巻き掛け溝１６２、１８２を含む平面までの距離が、上記Ｈ１ａ，Ｈ１ｂとほぼ同じ所定値のＨ２ａ，Ｈ２ｂにそれぞれなるように、従動プーリ１６，１８がポンプ１２、１４の回転軸周囲のそれぞれの所定部位に嵌着されている。それと共に、それに合わせて、左側と右側のポンプ１２、１４のそれぞれが、ベース２０上面の所定部位に位置決めされて、ボルト等を用いて固定されている。
従動プーリ１６、１８は、それらの従動プーリ１６、１８の外側端面をポンプ１２、１４の回転軸端面とほぼ同一平面上に位置させて、ポンプ１２、１４の回転軸のそれぞれの所定部位に嵌着されている。そして、それらの従動プーリ１６、１８をポンプ１２、１４の回転軸のそれぞれの所定部位に位置決め治具等を用いずに手数を掛けずに容易に嵌着できる構造をしている。
【００１４】
図１ないし図３に示したポンプ装置は、以上のように構成されていて、このポンプ装置においては、該装置の組み立て作業を行う際に、そのアイドラプーリ５２、５４を支持するホルダ６０の左側と右側とからポンプ１２、１４方向にそれぞれ延設された第１位置決めアーム６２、６４の端面を、左側のポンプ１２のサイドプレートのねじ取り付け用の座面８２と、右側のポンプ１４のサイドプレートのねじ取り付け用の座面８４とのそれぞれに隙間なく当接させるだけで、そのホルダ６０表面の左側と右側に支持されたアイドラプーリ５２、５４周囲のベルト巻き掛け溝５２２、５４２のそれぞれと、左側と右側のポンプ１２、１４の回転軸のそれぞれの所定部位に嵌着された従動プーリ１６、１８周囲のベルト巻き掛け溝１６２、１８２のそれぞれとを、左側と右側の第１位置決めアーム６２、６４の端面からほぼ同じ距離Ｈ１ａ，Ｈ２ａとＨ１ｂ，Ｈ２ｂだけそれぞれ離れた、ほぼ同一平面上にそれぞれ位置させることができる。
そして、それらのアイドラプーリ５２、５４周囲のベルト巻き掛け溝５２２、５４２と、従動プーリ１６、１８周囲のベルト巻き掛け溝１６２、１８２とのそれぞれに亙って巻き掛けられた無端ベルト４２、４４が、その巡回中に、それらのプーリ周囲のベルト巻き掛け溝５２２、５４２、１６２、１８２から脱落したり、それらのプーリ周囲のベルト巻き掛け溝５２２、５４２、１６２、１８２の内側壁に無理に押される等して、早期に磨耗したり、破損したりするのを、防ぐことができる。
その結果、そのポンプ装置の組み立て作業の大幅な容易化、迅速化が図れる。それと共に、そのポンプ装置の組み立て作業に際して、アイドラプーリ５２、５４と従動プーリ１６、１８との相互の位置関係を調整するための位置決め治具を別途設ける必要をなくすことが可能となる。
【００１５】
図４ないし図６は本発明のポンプ装置の他の好適な実施の形態を示し、図４はその正面図、図５はその一部左側面図、図６はその一部右側面図である。以下に、このポンプ装置を説明する。
【００１６】
このポンプ装置では、そのアイドラプーリ５２、５４を支持するホルダ６０に、前記第１位置決めアーム６２、６４に加えて、第２位置決めアーム６６、６８が電動モータ３０方向に延設されている。第２位置決めアーム６６、６８は、前述の第１位置決めアーム６２、６４と同様に、ホルダ６０下端の左側と右側とに板金加工により設けられた帯板先端が、電動モータ３０方向にＬ字状に折り曲げられて形成されている。第２位置決めアーム６６、６８の端面は、ホルダ６０表面に支持されたアイドラプーリ５２、５４周囲のベルト巻き掛け溝５２２、５４２を含む平面とほぼ平行になるように、形成されている。第２位置決めアーム６６、６８の丈は、その第２位置決めアーム６６、６８の端面から、ホルダ６０表面に支持されたアイドラプーリ５２、５４周囲のベルト巻き掛け溝５２２、５４２を含む平面までの距離が、所定値のＨ３ａ，Ｈ３ｂにそれぞれなるように、所定長さに形成されている。
電動モータ３０のエンドプレート外側面のネジ取り付け用の平滑な座面９０であって、電動モータ３０の駆動軸に嵌着された駆動プーリ３２、３４周囲のベルト巻き掛け溝３２２、３４２を含む平面とほぼ平行に形成された座面９０は、電動モータ３０の位置決め用の基準面に用いられている。そして、そのエンドプレートのネジ取り付け用の座面９０から、駆動プーリ３２、３４周囲のベルト巻き掛け溝３２２、３４２を含む平面までの距離が、上記Ｈ３ａ，Ｈ３ｂとほぼ同じ所定値のＨ４ａ，Ｈ４ｂにそれぞれなるように、駆動プーリ３２，３４が電動モータ３０の駆動軸周囲の所定部位にそれぞれ嵌着されている。それと共に、それに合わせて、電動モータ３０が、ベース２０内側底面の所定部位に位置決めされて、ねじ等を用いて固定されている。
前部の駆動プーリ３２と後部の駆動プーリ３４とは、その内側端面を互いに連結させて、一体に形成されていて、その周囲に３本のベルト巻き掛け溝３２２、３４２が所定ピッチで並べて刻設された構造をしている。そして、その前側の２本のベルト巻き掛け溝３２２が刻設されたプーリ部分が、前部の駆動プーリ３２に用いられていると共に、その後側の１本のベルト巻き掛け溝３４２が刻設されたプーリ部分が、後部の駆動プーリ３４に用いられている。そして、その前部の駆動プーリ３２と後部の駆動プーリ３４とが一体化されたプーリが、その外側端面を電動モータ３０の駆動軸端面とほぼ同一平面上に位置させて、電動モータ３０の駆動軸の所定部位に嵌着されている。そして、そのプーリの前部の駆動プーリ３２と後部の駆動プーリ３４とを、電動モータ３０の駆動軸の所定部位にそれぞれ位置決め治具等を用いずに手数を掛けずに容易に嵌着できる構造をしている。
【００１７】
図４ないし図６に示したポンプ装置のその他の部分は、図１ないし図３に示した前述のポンプ装置と同様に構成されていて、このポンプ装置においては、該装置の組み立て作業を行う際に、そのホルダ６０の左側と右側とから電動モータ３０方向にそれぞれ延設された第２位置決めアーム６６、６８の端面を、電動モータ３０の位置決め用の基準面に当る、エンドプレートの左側と右側の座面９０にそれぞれ隙間なく当接させるだけで、そのホルダ６０に支持されたアイドラプーリ５２、５４周囲のベルト巻き掛け溝５２２、５４２と、電動モータ３０の駆動軸の所定部位にそれぞれ嵌着された駆動プーリ３２、３４周囲のベルト巻き掛け溝３２２、３４２とのそれぞれを、第２位置決めアーム６６、６８の端面からほぼ同じ距離Ｈ３ａ，Ｈ４ａ及びＨ３ｂ，Ｈ４ｂだけそれぞれ離れた、ほぼ同一平面上にそれぞれ位置させることができる。
そして、それらのアイドラプーリ５２、５４周囲のベルト巻き掛け溝５２２、５４２と駆動プーリ３２、３４周囲のベルト巻き掛け溝３２２、３４２とに亙ってそれぞれ巻き掛けられた無端ベルト４２、４４が、その巡回中に、それらのプーリ周囲のベルト巻き掛け溝５２２、５４２、３２２、３４２から脱落したり、それらのプーリ周囲のベルト巻き掛け溝５２２、５４２、３２２、３４２の内側壁に無理に押される等して、早期に磨耗したり、破損したりするのを、防ぐことができる。
また、このポンプ装置では、前述のポンプ装置と同様に、そのアイドラプーリ５２、５４を支持するホルダ６０の左側と右側とからポンプ１２、１４方向にそれぞれ延設された第１位置決めアーム６２、６４の端面を、ポンプ１２、１４の位置決め用の基準面に当る、サイドプレートのネジ取り付け用の座面８２、８４にそれぞれ隙間なく当接させるだけで、そのホルダ６０に支持されたアイドラプーリ５２、５４周囲のベルト巻き掛け溝５２２、５４２と、ポンプ１２、１４の回転軸の所定部位にそれぞれ嵌着された従動プーリ１６、１８周囲のベルト巻き掛け溝１６２、１８２とのそれぞれを、第１位置決めアーム６２、６４の端面からほぼ同じ距離Ｈ１ａ，Ｈ２ａとＨ１ｂ，Ｈ２ｂだけそれぞれ離れた、ほぼ同一平面上にそれぞれ位置させることができる。
そして、それらのアイドラプーリ５２、５４周囲のベルト巻き掛け溝５２２、５４２と従動プーリ１６、１８周囲のベルト巻き掛け溝１６２、１８２とに亙って巻き掛けられた無端ベルト４２、４４が、その巡回中に、それらのプーリ周囲のベルト巻き掛け溝５２２、５４２、１６２、１８２から脱落したり、それらのプーリ周囲のベルト巻き掛け溝５２２、５４２、１６２、１８２の内側壁に無理に押される等して、早期に磨耗したり、破損したりするのを、防ぐことができる。
その結果、そのポンプ装置の組み立て作業の大幅な容易化、迅速化が図れる。それと共に、そのポンプ装置の組み立て作業に際して、アイドラプーリ５２、５４と駆動プーリ３２、３４と従動プーリ１６、１８とのそれぞれの相互の位置関係を調整するための位置決め治具を別途設ける必要をなくすことが可能となる。
【００１８】
なお、図１ないし図３に示した前述のポンプ装置においては、上記のような、第２位置決めアーム６６、６８が、ホルダ６０から電動モータ３０方向に延設されていない。従って、前述のポンプ装置の組み立て作業に際しては、そのホルダ６０に支持されたアイドラプーリ５２、５４周囲のベルト巻き掛け溝５２２、５４２や、ポンプ１２、１４の回転軸に嵌着された従動プーリ１６、１８周囲のベルト巻き掛け溝１６２、１８２と、電動モータ３０の駆動軸に嵌着された駆動プーリ３２、３４周囲のベルト巻き掛け溝３２２、３４２とのそれぞれが、ほぼ同一平面上に位置するように、駆動プーリ３２、３４を電動モータ３０の駆動軸の所定部位にそれぞれ嵌着したり、電動モータ３０をベース２０の所定部位に固定したりする必要がある。
その場合には、ホルダ６０に支持されたアイドラプーリ５２、５４周囲のベルト巻き掛け溝５２２、５４２と、ポンプ１２、１４の回転軸に嵌着された従動プーリ１６、１８周囲のベルト巻き掛け溝１６２、１８２とは、前述のように、第１位置決めアーム６２、６４により、ほぼ同一平面上に位置するようにそれぞれ位置決めされている。そのために、その一方のアイドラプーリ５２又は従動プーリ１６の平滑な外側端面と、駆動プーリ３２、３４が前後に連なるプーリの平滑な外側端面とに亙って、平板状等をした位置決め治具（図示せず）を隙間なく押し当てた状態で、その駆動プーリ３２、３４が前後に連なるプーリを電動モータ３０の駆動軸の所定部位に嵌着したり、電動モータ３０をベース２０の所定部位に位置決め固定したりすれば良い。そのようにすれば、その駆動プーリ３２、３４周囲のベルト巻き掛け溝３２２、３４２のそれぞれが、従動プーリ１６、１８周囲のベルト巻き掛け溝１６２、１８２やアイドラプーリ５２、５４周囲のベルト巻き掛け溝５２２、５４２のそれぞれとほぼ同一平面上に位置するように、それらのプーリ３２、３４、１６、１８、５２、５４の相互の位置関係を手数を掛けずに容易かつ迅速に調整できる。そして、無端ベルト４２、４４が、その巡回中に、駆動プーリ３２、３４周囲のベルト巻き掛け溝３２２、３４２から脱落したり、その駆動プーリ３２、３４周囲のベルト巻き掛け溝３２２、３４２の内側壁から偏った無理な力を受けたりするのを、防ぐことができる。
【００１９】
本発明のポンプ装置は、電動モータが、ホルダを介して、ベースに支持されたポンプ装置にも、利用可能である。即ち、電動モータの駆動軸に嵌着された駆動プーリが、電動モータを介して、ホルダに支持されたポンプ装置にも、利用可能である。
その場合には、その電動モータを介して駆動プーリを支持するホルダからポンプ方向に所定丈の位置決めアームを延設して、その位置決めアームの端面をポンプの位置決め用の基準面に当接させる構造とすれば良い。そして、ポンプの回転軸の所定部位に嵌着された従動プーリ周囲のベルト巻き掛け溝と前記ホルダに支持された駆動プーリ、即ち電動モータの駆動軸の所定部位に嵌着された駆動プーリ周囲のベルト巻き掛け溝とがほぼ同一平面上に位置するように調整可能な構造とすれば良い。
同様に、本発明のポンプ装置は、ポンプが、ホルダを介して、ベースに支持されたポンプ装置にも、利用可能である。即ち、ポンプの回転軸に嵌着された従動プーリが、ポンプを介して、ホルダに支持されたポンプ装置にも、利用可能である。
その場合には、そのポンプを介して従動プーリを支持するホルダから電動モータ方向に所定丈の位置決めアームを延設して、その位置決めアームの端面を電動モータの位置決め用の基準面に当接させる構造とすれば良い。そして、電動モータの駆動軸の所定部位に嵌着された駆動プーリ周囲のベルト巻き掛け溝と前記ホルダに支持された従動プーリ、即ちポンプの回転軸の所定部位に嵌着された従動プーリ周囲のベルト巻き掛け溝とがほぼ同一平面上に位置するように調整可能な構造とすれば良い。
【００２０】
本発明のポンプ装置は、１台の電動モータにより、１台のポンプを回転駆動させるポンプ装置、あるいは１台の電動モータにより、３台以上のポンプを回転駆動させるポンプ装置にも、利用可能である。
【産業上の利用可能性】
【００２１】
本発明の第１、第２のポンプ装置は、印刷用紙吸引用の吸気ポンプ及び印刷用紙排出用の排気ポンプを備えた、印刷機用のポンプ装置などに、利用可能である。
【図面の簡単な説明】
【００２２】
【図１】本発明のポンプ装置の正面図である。
【図２】本発明のポンプ装置の一部左側面図である。
【図３】本発明のポンプ装置の一部右側面図である。
【図４】本発明のポンプ装置の正面図である。
【図５】本発明のポンプ装置の一部左側面図である。
【図６】本発明のポンプ装置の一部右側面図である。
【符号の説明】
【００２３】
１２、１４  ポンプ
１６、１８  従動プーリ
３０  電動モータ
３２、３４  駆動プーリ
４２、４４  無端ベルト
５２、５４  アイドラプーリ
６０  ホルダ
６１、６３  スライダ
６２、６４  第１位置決めアーム
６６、６８  第２位置決めアーム
８２、８４、９０  ネジ取り付け用の座面
１６２、１８２、３２２、３４２、５２２、５４２  ベルト巻き掛け溝
【図１】
2005069091.tif 000003
【図２】
2005069091.tif 000004
【図３】
2005069091.tif 000005
【図４】
2005069091.tif 000006
【図５】
2005069091.tif 000007
【図６】
2005069091.tif 000008